(57)【要約】      （修正有）【課題】構成が簡易で和服や洋服等を簡単に短時間に出し入れでき、携帯運搬時に収納した和服に折り癖や皺が発生するのを防止でき、同時に帯、ぞうり等も安定した状態で効率よく収納、運搬できる和洋衣服等の収納バッグを提供する。【解決手段】底面シート１２の長辺１２ａ、１２ｃに略台形状の前面シート１３の底辺１３ｄと後面シート１５の底辺１５ｄを固定する。次いで底面シート１２の短辺１２ｄ、１２ｂに略三角形状の側面シート１６、１４の底辺１６ｃ、１４ｃを固定する。そして後面シート１５の両側辺１５ａ、１５ｃと２枚の側面シート１４、１６の後方側辺１４ｂ、１６ｂを固定する。両側辺１３ａ、１３ｃの一部と側面シート１４、１６の前方側辺１４ａ、１６ａ、および前面シート１３と後面シート１５の上端の水平部１３ｂ、１５ｂをファスナー１７で連結し、前面シート１３の一部を開閉自在にする。【選択図】図２
0003135817.tif 000002
【実用新案登録請求の範囲】
【請求項１】
方形の底面シートを構成し、
前記底面シートの上面に折畳んだ和服、洋服あるいは和装品、洋装品等の物品を水平に載置する基板を固定し、
前記底面シートの対向する二辺に略台形状の前面シートと後面シートの底辺を固定すると共に、他の対向する二辺に略三角形状の２枚の側面シートの底辺を固定し、
前記後面シートの両側辺と前記２枚の側面シートの後方側辺を固定し、
前記前面シートの両側辺と上辺を、それぞれ前記２枚の側面シートの前方側辺と後面シートの上辺に、前記前面シートの両側辺のうち少なくとも一側辺の下側を残して取付けたファスナーを介して取付け、
前記ファスナーで前面シートの一部を開閉自在にした略四角錐形状の和洋衣服等の収納バッグ。
【考案の詳細な説明】
【技術分野】
【０００１】
本考案は、和服および洋服等を容易に収納でき、運搬時に和服や洋服に折り癖や皺の発生を防止する和洋衣服等の収納バッグに関するものである。
【背景技術】
【０００２】
従来より、和服は風呂敷に包んで両腕に抱えて運ぶのが一般的であったが、この方法では和服に皺が発生しやすいと共に、腕が疲れやすく両腕がふさがるため危険であった。
そのため、和服を容易かつ短時間に出し入れすることができ、携帯運搬時に収納した和服に折り癖や皺が発生するのを防止することができる和装具収納用バッグが提案された。
また洋服はビニール製などのケースに収納して吊り下げて運んでいたため、和服と同様に折り癖や皺が発生する等の問題点があった。
【特許文献１】特開平１０−２４８６１６号
【０００３】
前記特許文献１の発明は、バッグ本体内に、和服を二つ折りにした状態で吊り下げ支持するための支持プレートを固定すると共に、一対のバンドをバッグ本体内の上部及び下部に所定間隔おきで配設し、各バンドを互いに連結することにより、和服をバッグ本体内の所定位置に締め付け保持するものである。
【０００４】
前記発明は、支持プレートやバンドを設ける等、構成が複雑であると共に、和服をバンドで締め付けて吊り下げて運搬するため折り癖や皴は発生し、かつ和服の収納、取り出しに手間と時間がかかり、さらにはこのような形状のバッグは和服にマッチしないという問題点があった。
【考案の開示】
【考案が解決しようとする課題】
【０００５】
本考案は上記の点に鑑みなされたものであり、簡易な構成でありながら和服や洋服等の物品を簡単に短時間に出し入れでき、携帯運搬時に収納した和服や洋服に折り癖や皺が発生するのを防止でき、同時に帯、ぞうり等の和装品や洋装品等も安定した状態で効率よく収納、運搬でき、また収納した物品を取り出すときにバッグから落ちるのを防止し、さらには和服にマッチする和洋衣服等の収納バッグを提供するものである。
【課題を解決するための手段】
【０００６】
本考案の要旨は、方形の底面シートを構成し、前記底面シートの上面に折畳んだ和服、洋服あるいは和装品、洋装品、贈答品等の物品を水平に載置する基板を固定する。
前記底面シートの対向する二辺に略台形状の前面シートと後面シートの底辺を固定すると共に、他の対向する二辺に略三角形状の２枚の側面シートの底辺を固定する。
前記後面シートの両側辺と前記２枚の側面シートの後方側辺を固定する。
前記前面シートの両側辺と上辺を、それぞれ前記２枚の側面シートの前方側辺と後面シートの上辺にファスナーを介して取付ける。前記ファスナーは、前記前面シートの両側辺のうち少なくとも一側辺の下側を残して取付けたもので、このファスナーで前面シートの一部を開閉自在にした略四角錐形状の和洋衣服等の収納バッグである。
【考案の効果】
【０００７】
本考案は、前面シートの一部を開くことにより、収納バッグ内へ和服や洋服等の物品を容易かつ短時間で出し入れすることができる。また、和服や洋服全体が基板上に平らで自然な状態で収容されていて把手によって水平状態で運搬できるため、和服や洋服に折り癖や皺が発生するおそれがない。さらに、収納時には和服の場合は長着の上に帯や羽織を重ねて収納でき、ぞうりや小物も箱のまま同時に平らな状態で収納できる。さらに前面シートが一部しか開かないため、前面シートを開いたときに収納してある物品がバッグから落ちるのを防止できるという効果を奏する。
【考案を実施するための最良の形態】
【０００８】
本考案を実施するための最良の形態は、長方形の底面シートの上面に、折畳んだ和服や洋服等を水平に載置する基板を固定する。
そして、底面シートの対向する長辺に略台形状の前面シートと後面シートの底辺を固定すると共に、対向する短辺に略三角形状の２枚の側面シートの底辺を固定する。
その後、後面シートの両側辺と２枚の側面シートの後方側辺を固定する。
さらに前面シートの一側辺と側面シートの前方一側辺とを前面シートの一側辺の下側を残してファスナーを介して取付け、さらに前面シートの他側辺と側面シートの前方他側辺、及び前面シートの上辺と後面シートの上辺とをファスナーを介して取付けて、前面シートの一部を開閉自在にした略四角錐形状の和洋衣服等の収納バッグである。
【０００９】
以下、本考案の第１実施形態を図に基づいて説明する。
なお、本実施形態では和服と和装品を収納する場合を説明するが、洋服と洋装品の場合も同様であるので、その説明を省略する。
図１は第１実施形態の斜視図、図２は同前面シートを開いた状態の斜視図、図３は同底面図、図４は同折畳んだ状態の斜視図、図５は同収納状態を示す断面側面図、図６は使用状態を示す説明図及び図７は第１実施形態の他例の斜視図である。
【００１０】
和洋衣服等の収納バッグ（以下、バッグという）１は、底部に長方形状の基板１１を構成する。この基板１１の大きさはで長着を４つに折畳んで載置できる、縦３０ｃｍ横４０ｃｍ程度大きさであり、材質はカーボンファイバである。しかし、基板１１の形状、大きさ、材質等はこれらのものに限定されず、用途等によって任意に決定できる。
【００１１】
基板１１の裏面には、複数の鋲１１ａで底面シート１２が固定されている。この底面シート１２の四辺に、それぞれ前面シート１３、側面シート１４、後面シート１５、側面シート１６が取付けられていて、バッグ１は全体として略四角錐形状を形成している。
【００１２】
この構成を詳しく説明すると、底面シート１２の長辺１２ａに前面シート１３の底辺１３ｄを固定し、底面シート１２の他の長辺１２ｃに後面シート１５の底辺１５ｄを固定する。これら前面シート１３と後面シート１５は、略台形状であり同じ大きさである。
【００１３】
次いで前記底面シート１２の対向する短辺１２ｂ、１２ｄに略三角形状の２枚の側面シート１４、１６の底辺１４ｃ、１６ｃをそれぞれ固定する。
【００１４】
そして前記後面シート１５の後方側辺１５ａと側面シート１４の後方側辺１４ｂを固定し、後面シート１５の側辺１５ｃと側面シート１６の後方側辺１６ｂを固定する。
【００１５】
前記前面シート１３の側辺１３ａの上部と側面シート１６の前方側辺１６ａの上部、前面シート１３と後面シート１５の上端の水平な上辺１３ｂ、１５ｂ、さらに前面シート１３の側辺１３ｃと側面シート１４の前方側辺１４ａを連続してファスナー１７を介してつなぐことで、前面シート１３の一部を開閉自在とするのである。すなわちファスナー１７は前記前面シート１３の側辺１３ａと側面シート１６の前方側辺１６ａの全部にわたって取付けずに、下部を残して取付けられている。そのため、前面シート１３を開けたときには、図２に示すように前面シート１３の一部しか開かないため、バッグ１内部の物品が零れ落ちることがない。
また、図７の本実施形態の他例に示すように、前記前面シート１３の側辺１３ｃと側面シート１４の前方側辺１４ａにおいても、ファスナー１７を下部を残して取付けても良い。この場合も、上記と同様の効果を有する。
【００１６】
一方、前面シート１３の内側上部に、ファスナー２２で開閉自在なポケット２１を設ける。また後面シート１５の内側上部にはベルベットファスナー２４で開閉自在としたポケット２３を設ける。これらポケット２１、２３には、各種和装小物を収容する。
【００１７】
さらに前面シート１３と後面シート１５の上端に竹製の２個の把手１８を取付ける。この把手１８，１８は基板１１の中央位置、すなわちバッグ１の重心に位置するため、把手１８でバッグ１を吊り下げたときに基板１１は水平状態を保ち内部の収納物が安定保持される。
【００１８】
また、前面シート１３の上部には、ベルト４０を取付けてある。このベルト４０は、一端を軸４１で回動自在に支承され、他端をホック４２で留めてある。使用に際してはベルト４０を後面シート１５の上部に設けたホック４３に留める。
また、内部に収納物がないときなどには、図４に示すようにバッグ１を折畳んで縦にして上記ベルト４０の他端を底面シート１２に構成したホック４４に留めて運ぶことができる。
【００１９】
前記前面シート１３、側面シート１４、１６、後面シート１５、底面シート１２の材質は風呂敷と同じ布が肌触りやデザインの点から好ましいが、他の布や合成皮革など軟質のシート状の材質を選択できる。また、表面には防水加工を施している。
【００２０】
次に、本実施形態の作用について説明する。
まずファスナー１７を操作してバッグ１の前面シート１３を開く（図２参照）。この状態で、基板１１の上に長着等の物品３０を折畳んで載置する。これにより長着は折り畳んだ状態で平らになっているから順次上に重ねることができるうえに、皺や折り癖の発生を防止できる。
また必要に応じて、その上に羽織や襦袢３１、あるいはぞうりの箱３２を平らに重ねて置く。通常使用されているバッグでは、ぞうりの箱３２は嵩張るため和服と同時に収納することは困難であり、収納した場合にも安定しない。しかし本実施形態では、バッグ１がいわゆるピラミッド型であるため、嵩のある物も積み重ねることができ、さらにぞうりの箱３２を羽織や襦袢３１の上で基板１１の中心に置くため安定して収納、運搬することができるのである。
【００２１】
上述のように本実施形態のバッグ１は、いわゆるピラミッド型をしていて把手１８がバッグ１の重心位置にあるため、収容物が常に水平状態で安定して保たれる。
また、バッグ１の開閉は前面シート１３を一部開くことができるため、収容物を水平にして出し入れすることが容易かつ迅速にでき内部の物品が零れ落ちることがない。運搬時はファスナー１７で閉じてあるため雨やほこりなどが入るおそれもない。
【図面の簡単な説明】
【００２２】
【図１】本考案の第１実施形態の斜視図
【図２】本考案の第１実施形態の前面シートを開いた状態の斜視図
【図３】本考案の第１実施形態の底面図
【図４】本考案の第１実施形態の折畳んだ状態の斜視図
【図５】本考案の第１実施形態の収納状態を示す断面側面図
【図６】本考案の第１実施形態の使用状態を示す説明図
【図７】本考案の第１実施形態の他例の斜視図
【符号の説明】
【００２３】
１    和洋衣服等の収納バッグ
１１    基板  
１２    底面シート
１２ａ  底面シートの長辺
１２ｄ  底面シートの短辺
１２ｃ  底面シートの長辺
１２ｂ  底面シートの短辺
１３    前面シート
１３ａ  前面シートの側辺
１３ｂ  前面シートの上辺
１３ｃ  前面シートの側辺
１３ｄ  前面シートの底辺
１４    側面シート
１４ａ  側面シートの前方側辺
１４ｂ  側面シートの後方側辺
１４ｃ  側面シートの底辺
１５    後面シート
１５ａ  後面シートの側辺
１５ｂ  後面シートの上辺
１５ｃ  後面シートの側辺
１５ｄ  後面シートの底辺
１６    側面シート
１６ａ  側面シートの前方側辺
１６ｂ  側面シートの後方側辺
１６ｃ  側面シートの底辺
１７    ファスナー
３０    物品
【図１】
0003135817.tif 000003
【図２】
0003135817.tif 000004
【図３】
0003135817.tif 000005
【図４】
0003135817.tif 000006
【図５】
0003135817.tif 000007
【図６】
0003135817.tif 000008
【図７】
0003135817.tif 000009